(57)【特許請求の範囲】
【請求項１】
開口部を設けた時計ケースと、
前記時計ケースの前記開口部に収めたセンサユニットと、
前記開口部内にて前記センサユニットを押さえ付け、前記センサユニットを固定する押えプレートと、
前記押えプレートによる押え付けにより封止し、前記時計ケース内の気密を保持するパッキンと、
前記押えプレートを前記時計ケースに止着する止着部材と、
前記押えプレートの外側であって前記開口部を一部で覆うように設けた外装部材と、
一端が前記外装部材の裏面に電気的に接続し且つ他端が前記押えプレートに電気的に接続した第１導通手段と、
一端が裏蓋に電気的に接続する前記押えプレートに形成した第２導通手段と、
を備えたことを特徴とするセンサ付き時計。
【請求項２】
開口部を設けた時計ケースと、
前記時計ケースの前記開口部に収めたセンサユニットと、
前記開口部内にて前記センサユニットを押さえ付け、前記センサユニットを固定する押えプレートと、
前記押えプレートによる押え付けにより封止し、前記時計ケース内の気密を保持するパッキンと、
前記押えプレートを前記時計ケースに止着する止着部材と、
前記押えプレートの外側であって前記時計ケースとの取付部分から延出した延出部を有するエンドピースにより前記開口部を覆うように設けた時計バンドと、
一端が前記時計バンドの前記延出部の端部に当接する外装部材の裏面に電気的に接続し且つ他端が前記押えプレートに電気的に接続した第１導通手段と、
一端が裏蓋に電気的に接続する前記押えプレートに形成した第２導通手段と、
を備えたことを特徴とするセンサ付き時計。
【請求項３】
前記外装部材が、加飾リングまたはベゼルであることを特徴とする請求項１に記載のセンサ付き時計。
【発明の詳細な説明】
【０００１】
【発明の属する技術分野】
この発明は、センサ付き時計に関し、更に詳しくは、センサ取付部分のセンサ取付形態およびカバー取付形態に工夫をしたセンサ付き時計に関する。
【０００２】
【従来の技術】
図３は、従来のセンサ付き時計の一例を示す正面図である。図４は、図３に示したセンサ付き時計を示す一部断面図である。このセンサ付き時計５００は、特開平５−２７０５５号公報に開示のものであり、９時方向にセンサ部５０１を設けた構造である。このセンサ付き時計では、時計ケース５０２の９時方向側面部分に開口部５０３が設けられ、ここにセンサユニット５０４を埋設している。開口部５０３の中に配置されたセンサユニット５０４は、その後端にて開口部５０３内の段部５０５で支持される。一方、センサユニット５０４の前面周縁は、押えプレート５０６により支持固定してある。また、押えプレート５０６とセンサユニット５０４との間にリング状のパッキン５０７を介在させ、且つ押えプレート５０６を止着部材であるビス５０８によって固定することにより、時計ケース内部の気密性を確保している。また、開口部５０３の入り口部分には、蓋プレート５０９が取り付けられている。この蓋プレート５０９は固定部材である固定用ビス５１０により時計ケース５０２に固定され、当該時計ケース５０２の外形的なデザインの一部を構成している。
【０００３】
また、上記特開平５−２７０５５号公報に記載のセンサを備えた小型電子機器の先行技術として、特開平４−６４０８５号公報に記載の水深計付電子時計が知られている。図５に、このセンサ付き時計の他の一例を示す。図６は、図５に示したセンサ付き時計の側面図である。両図は、このセンサ付き時計のセンサ付近を示している。センサ６０１は、時計ケース６０２に設けた表面枠体６０３と裏面枠体６０４とから形成したセンサ保護部６０５の中に取り付けられている。センサ６０１とセンサ保護部６０５との間には緩衝筒体６０６およびパッキン６０７が介在し、時計ケース６０２の気密を保持している。また、センサ６０１の前面には貫通孔を有する装飾板６０８が設けられている。装飾板６０８は、固定部材であるビス６０９によって時計ケース６０２に固定されている。表面枠体６０３は時計ケース６０２と別体になっており、同公報にて開示するように、この表面枠体６０３と前記装飾板６０８には適宜装飾を施すことにより、時計ケースとの一体性を演出することが可能である。また、この装飾板は、センサ６０１を押えると共に外観デザインを考慮したものであり、上記特開平５−２７０５５号公報に記載の押えプレート５０６および蓋プレート５０９の機能を実質的に一体化したものとなっている。
【０００４】
同じく、上記特開平５−２７０５５号公報に記載のセンサを備えた小型電子機器の先行技術として、実公平５−３２７９３号公報に記載の水深計付電子時計が知られている。図７に、この水深計付電子時計の一部断面図を示す。この水深計付電子時計７００は、圧力センサ７０１を外装ケース７０２の取付穴７０３にはめ込み、圧力センサ７０１と外装ケース７０２との間にパッキン７０４を設けて気密性を確保している。圧力センサ７０１は、取付穴７０３の裏側からはめ込まれて圧力導入孔７０５により位置決めされている。また、この圧力センサ７０１の前面を含む外装ケース７０２の文字盤側全面には、カバー７０６が設けられている。圧力センサ７０１は、実質的に上記押えプレート５０６と同様の機能を有する圧力導入孔７０５により位置決めされているから、カバー７０６に圧力センサ７０１を押さえる機能を付加する必要がない。このため、同公報にも開示するようにカバー７０６にデザインを施しやすくなり、実質的に上記蓋プレート５０９と同様の機能を有することができるようになる。
【０００５】
【発明が解決しようとする課題】
上記したように、センサ付き時計にはセンサを覆うために種々の部品が用いられている。例えば上記特開平５−２７０５５号公報および特開平４−６４０８５号公報に記載のセンサ付き時計５００、６００では、センサ５０４、６０１を覆うための部品（蓋プレート５０９、装飾板６０８）を別途用意し、固定部品によって時計ケース５０２、センサ保護部６０５に固定している。このため、部品点数が多くなり、時計のデザインをシンプルにできないという問題が生じていた。特に、特開平５−２７０５５号公報のセンサ付き時計５００では、蓋プレート５０９を固定する作用・機能を持つ固定部材として固定用ビス５１０のみを開示しているが、この蓋プレート５０９専用の固定用ビス５１０を用いることで部品点数が更に増える結果となっている。
【０００６】
また、特開平５−２７０５５号公報に記載の水深計付電子時計７００では、外装ケース７０２の文字盤側全面にカバー７０６を設けているため、加飾リングや回転ベゼルなどの外装部品を取り付けにくいという問題点があった。さらに、上記いずれの時計においても、時計ケースに生じる静電気等のノイズにより、ムーブメントに悪影響が生じるという問題点があった。
【０００７】
そこで、この発明は、部品点数の増加を抑制できること、シンプルなデザインを可能にすること、外装部品を取り付けやすいこと、静電気等によるノイズを防止することの条件のうち、いずれかを満たすセンサ付き時計を提供することを目的とする。
【０００８】
【課題を解決するための手段】
上述の目的を達成するために、時計ケースの開口部にセンサユニットを収めて押えプレートにより固定し、さらに開口部を一部で覆うように外装部材を設けるようにした。外装部材により開口部を覆うので部品を削減できる。また、シンプルなデザインを可能になる。さらに、外装部材で開口部を覆うので、外装部材の取付性に問題はない。この外装部材は、センサを収める開口部を覆うものであるから、例えば時計バンドや、加飾リングあるいは回転ベゼルその他の主に文字盤側に取り付けるものを用いるのが好ましい。
【０００９】
また、第１導通手段により外装部材と押えプレートとを電気的に接続し、押えプレートの一端により形成した第２導通手段により、裏蓋とを電気的に接続するようにしている。このため、外装部材などで生じた静電気等に代表されるノイズを、第１導通手段、押えプレート、第２導通手段および裏蓋を通じて逃がすことができる。
【００１０】
【発明の実施の形態】
以下、この発明につき図面を参照しつつ詳細に説明する。なお、この実施の形態によりこの発明が限定されるものではない。
実施の形態１．
図１は、この発明の実施の形態１に係るセンサ付き時計を示す一部断面図である。このセンサ付き時計１００は、時計ケース１に設けた開口部２にセンサユニット３を入れ込んだ構成である。開口部２はセンサユニット収納部４を備え、この底部には段部５が設けられている。センサユニット３は、その後端周縁が段部５に突き当てられ位置決めされる。センサユニット３としては、外気温を検出する感温素子であるサーミスタ等の温度センサや、半導体表面の拡散抵抗の抵抗値を変化させて水圧や気圧を測定する半導体圧力センサ等を用いることができる。センサユニット３は、その後端にフレキシブル基板（図示省略）が接続されており、検出したセンサ信号を時計モジュールに出力する。開口部２のセンサユニット収納部４入口には段部７が形成されており、この段部７及び、センサユニット３の小径部３ａにまたがり、リング状のパッキン８が配置されている。
【００１１】
また、センサユニット３の前面には押えプレート９が設けられている。一方、時計ケース１には、押えプレート９を取り付けるネジ穴１０が設けられている。押えプレート９は、止着部材である止めネジ１１により時計ケース１に固定されている。この押えプレート９によりセンサユニット３がセンサユニット収容部４内に保持される。また、押えプレート９により前記パッキン８が押圧され、時計ケース１内の気密が保たれる。前記開口部２の一部は、ガラスの周囲に設けた加飾リング１２で覆われている。加飾リング１２の底部には、第１導通バネ１３の一端が接触している。第１導通バネ１３は、くの字形状であり、その他端は押えプレート９と電気的に接続している。
【００１２】
加飾リング１２を時計ケース１に取り付けることにより、第１導通バネ１３が加飾リング１２底部に対して付勢される。また、押えプレート９の一端は、第２導通バネ部１４を形成している。第２導通バネ１４も第１導通バネ１３と同様に、くの字形状でありその下端は裏蓋１５に接触している。これにより、加飾リング１２や時計ケース１の静電気を裏蓋１５を介して腕に逃がすことができる。
【００１３】
時計バンドのエンドピース１６は時計ケース１との取付部分から更に延出しており（延出部１７）、開口部２の一部を覆っている。このため、上記従来ような蓋プレートや、この蓋プレートを固定する固定部材（固定用ビス）は不要である。この延出部１７の端部は加飾リング１２と当接する。時計バンドは樹脂バンド、金属バンド、皮バンドのいずれを用いることができる。また、上記リングの他、ガラス縁や回転ベゼルを用いることもできる。なお、この実施の形態１では、開口部２を加飾リング１２と時計バンドの延出部１７とによって覆うが、開口部２を覆う両者の比率は問題でない。また、時計バンド１６の延出部１７のみで開口部２を覆うことも可能である。
【００１４】
実施の形態２．
図２は、この発明の実施の形態２に係るセンサ付き時計を示すを示す一部断面図である。このセンサ付き時計２００は、実施の形態１のセンサ付き時計１００と略同様の構成であるが、センサユニット３を加飾リング２１２により覆うようにした点が異なる。時計ケース１の開口部２は、加飾リング２１２により覆われている。加飾リング２１２の底部には、くの字形状の第１導通バネ１３が接触しておその他端が押えプレート９に固定されている。この加飾リング２１２はベゼルであってもよい。加飾リング２１２の外縁は、時計バンドのエンドピース１６と面一になる。この加飾リング２１２とエンドピース１６との間には僅かな隙間を設ける。また、加飾リング２１２と時計ケース１とを面一にするようにしてもよい（図示省略）。その他の構成は、実施の形態１と同様であるから説明を省略する。
【００１５】
他の実施の形態．
また、上記実施の形態２の加飾リング２１２を従来のような蓋プレートとし、静電気等によるノイズを防止する機能のみを作用させるようにしてもよい。さらに、導通バネの形状は、上記実施の形態１および２の形態に限られず、時計ケース１や外装部品と裏蓋１５とを電気的に接続するものならば、どのようなものを用いても良い。また、バネではなく接続コードなどであってもよい。さらに、センサユニット３を設ける位置は、時計ケース１のいずれの部分であってもよい。
【００１６】
【発明の効果】
以上説明したように、この発明のセンサ付き時計によれば、外装部材の一部により開口部を覆うようにしたので、部品点数の増加を抑制できると共にシンプルなデザインが可能になる。また、外装部材自体で開口部を覆うので、外装部材の取付性が問題にならない。つぎに、第１導通手段と第２導通手段とにより外装部材と裏蓋とを電気的に接続したので、静電気等によるノイズを防止してムーブメントへの悪影響を低減できる。
【図面の簡単な説明】
【図１】この発明の実施の形態１に係るセンサ付き時計を示す一部断面図である。
【図２】この発明の実施の形態２に係るセンサ付き時計を示す一部断面図である。
【図３】特開平５−２７０５５号公報に記載のセンサ付き時計を示す正面図である。
【図４】図３に示したセンサ付き時計を示す一部断面図である。
【図５】特開平４−６４０８５号公報に記載の水深計付電子時計を示す一部断面図である。
【図６】図５に示したセンサ付き時計の側面図である。
【図７】実公平５−３２７９３号公報に記載の水深計付電子時計を示す一部断面図である。
【符号の説明】
１００  センサ付き時計
１  時計ケース
２  開口部
３  センサユニット
４  センサユニット収納部
５  段部
７  段部
８  パッキン
９  押えプレート
１０  ネジ穴
１１  止めネジ
１２  加飾リング
１３  第１導通バネ
１４  第２導通バネ部
１５  裏蓋
１６  エンドピース
１７  延出部
【図１】
0003715128.tif 000002
【図２】
0003715128.tif 000003
【図３】
0003715128.tif 000004
【図４】
0003715128.tif 000005
【図５】
0003715128.tif 000006
【図６】
0003715128.tif 000007
【図７】
0003715128.tif 000008